(57)【要約】【課題】画質調整等の割り込み処理が可能な期間をより長くする。【解決手段】Ｖ同期信号が立ち下がったと判定した場合（ステップＳ１２でＹＥＳ）は、制御部は、ビデオデコーダから入力されるＤＶＡＬＩＤ信号が立ち下がったか否かを判定する（ステップＳ１４）。ＤＶＡＬＩＤ信号が立ち下がっていない場合（ステップＳ１２でＮＯ）は、制御部は、割り込み処理が可能であることを示すフラグであるフラグ１を付与する（ステップＳ１８）。ＤＶＡＬＩＤ信号が立ち下がった場合（ステップＳ１２でＹＥＳ）には、制御部は、割り込み処理が不可であることを示すフラグであるフラグ０を付与し（ステップＳ１６）、ＤＶＡＬＩＤ信号の立ち下がりの回数をカウントし（ステップＳ２０）、ＤＶＡＬＩＤ信号の立ち下がりの回数が所定の回数となった場合（ステップＳ２２でＹＥＳ）にはフラグを０から１に変更する（ステップＳ２４）。【選択図】  図５
2013257434.tif 000002
【特許請求の範囲】
【請求項１】
垂直同期を示す信号と、映像有効期間を示す信号とを含む映像信号を取得する画像取得部と、
前記垂直同期を示す信号の始点と、前記映像有効期間を示す信号の始点との間を有効画像の非表示期間とする判定部と、
前記映像信号に対する割り込み処理を、前記有効画像の非表示期間に行うように制御する制御部と、
を備えたことを特徴とする表示制御装置。
【請求項２】
請求項１に記載の表示制御装置であって、
前記割り込み処理の指示を入力する入力部を備え、
前記制御部は、前記入力部により前記割り込み処理の指示が前記有効画像の非表示期間以外に入力された場合には、前記有効画像の非表示期間となるのを待って前記割り込み処理を行うことを特徴とする表示制御装置。
【請求項３】
請求項１又は２に記載の表示制御装置であって、
前記映像有効期間を示す信号の回数をカウントするカウント部を備え、
前記判定部は、前記映像有効期間を示す信号の回数が所定数となった後の期間についても、前記映像信号の非表示期間とすることを特徴とする表示制御装置。
【請求項４】
請求項１から３のいずれか一項に記載の表示制御装置であって、
表示部と、
前記取得された映像信号の画質を調整する画質調整部と、
前記取得された映像信号又は前記画質が調整された映像信号に基づいて表示用画像信号を生成する画像生成部と、
前記表示用画像信号を前記表示部に出力する出力部と、を備え、
前記制御部は、前記割り込み処理として前記映像信号の画質調整を行うように、前記有効画像の非表示期間に前記画質調整部に指示を出力することを特徴とする表示制御装置。
【請求項５】
請求項４に記載の表示制御装置であって、
前記画像生成部は、前記有効画像の画像領域の上端部又は下端部にＯＳＤ（オンスクリーンディスプレイ）映像を重畳表示された画像を前記表示用画像信号として生成し、
前記判定部は、前記ＯＳＤ映像が表示される期間を前記有効画像の非表示期間とすることを特徴とする表示制御装置。
【請求項６】
請求項１から５のいずれか一項に記載の表示制御装置であって、
前記画像取得部は、前記垂直同期を示す信号として垂直同期信号を取得し、前記映像有効期間を示す信号としてＤＶＡＬＩＤ信号を取得することを特徴とする表示制御装置。
【請求項７】
請求項１から５のいずれか一項に記載の表示制御装置であって、
前記画像取得部は、前記垂直同期を示す信号及び前記映像有効期間を示す信号として、ＳＡＶ及び（Ｓｔａｒｔ  ｏｆ  Ａｃｔｉｖｅ  Ｖｉｄｅｏ）ＥＡＶ（Ｅｎｄ  ｏｆ  Ａｃｔｉｖｅ  Ｖｉｄｅｏ）を取得し、
前記判定部は、前記取得したＳＡＶ及びＥＡＶに基づいて、前記垂直同期を示す信号の始点及び前記映像有効期間を示す信号の始点を求めることを特徴とする表示制御装置。
【請求項８】
車両内部に設けられた表示部と、
前記車両のライトの点灯と消灯とを切り替えるスイッチと、
垂直同期を示す信号と、映像有効期間を示す信号とを含む映像信号を取得する画像取得部と、
前記ライトが点灯に切り替えられた場合には、前記取得された映像信号の輝度を落とし、前記ライトが消灯に切り替えられた場合には、前記取得された映像信号の輝度を上げるように、前記映像信号の画質を調整する画質調整部と、
前記垂直同期を示す信号の始点と、前記映像有効期間を示す信号の始点との間を有効画像の非表示期間とする判定部と、
前記有効画像の非表示期間に前記映像信号の画質調整を行うように、前記画質調整部に指示を出力する制御部と、
前記取得された映像信号又は前記画質が調整された映像信号に基づいて表示用画像信号を生成する画像生成部と、
前記表示用画像信号を前記表示部に出力する出力部と、
を備えたことを特徴とする車載用表示制御装置。
【発明の詳細な説明】
【技術分野】
【０００１】
本発明は、表示制御装置及び車載用表示制御装置に関する。
【背景技術】
【０００２】
特許文献１には、垂直同期信号の出力期間に割り込みを発生させて画質調整を行う画像処理装置が開示されている。
【先行技術文献】
【特許文献】
【０００３】
【特許文献１】特開２００１−９２４３６号公報
【発明の概要】
【発明が解決しようとする課題】
【０００４】
車両に搭載された表示装置の輝度は、画面輝度が明るい昼モードと、画面輝度が暗い夜画面モードとが必要に応じて切り替えられる。輝度調整は、画像処理用バッファメモリを持たないビデオデコーダで処理されることが一般的である。しかし、画像処理用バッファメモリを持たないビデオデコーダで映像信号の輝度を変更すると、処理が反映されるタイミングがリアルタイムとなり、図１１に示すように、１フレーム映像内のあるライン上で輝度が切り換えられ、横線ノイズのように見えてしまう。
【０００５】
特許文献１に記載の発明では、図１２に示すように、垂直同期期間（垂直同期信号の立ち下がりと立ち上がりとの間）に割り込み処理を行うため、１フレーム映像内のあるライン上で輝度が切り換えることはない。しかしながら、垂直同期信号の立ち上がりと映像の表示開始との間には空き時間が存在するため、この空き時間中にユーザから画質調整の割り込み指示が入力されると、次の垂直同期期間まで画質調整を延期することとなる。その結果、ユーザの指示入力から画質調整までが、無駄に１フレーム遅れてしまうという問題がある。
【０００６】
本発明はこのような事情に鑑みてなされたもので、画質調整等の割り込み処理が可能な期間をより長くすることができる表示制御装置及び車載用表示制御装置を提供することを目的とする。
【課題を解決するための手段】
【０００７】
本発明は上記の目的を達成するためになされたもので、本発明に係る表示制御装置は、例えば、垂直同期を示す信号と、映像有効期間を示す信号とを含む映像信号を取得する画像取得部と、前記垂直同期を示す信号の始点と、前記映像有効期間を示す信号の始点との間を有効画像の非表示期間とする判定部と、前記映像信号に対する割り込み処理を、前記有効画像の非表示期間に行うように制御する制御部と、を備えたことを特徴とする。
【０００８】
また、前記割り込み処理の指示を入力する入力部を備え、前記制御部は、前記入力部により前記割り込み処理の指示が前記有効画像の非表示期間以外に入力された場合には、前記有効画像の非表示期間となるのを待って前記割り込み処理を行ってもよい。
【０００９】
また、前記映像有効期間を示す信号の回数をカウントするカウント部を備え、前記判定部は、前記映像有効期間を示す信号の回数が所定数となった後の期間についても、前記映像信号の非表示期間としてもよい。
【００１０】
また、本発明に係る表示制御装置は、例えば、表示部と、前記取得された映像信号の画質を調整する画質調整部と、前記取得された映像信号又は前記画質が調整された映像信号に基づいて表示用画像信号を生成する画像生成部と、前記表示用画像信号を前記表示部に出力する出力部と、を備え、前記制御部は、前記割り込み処理として前記映像信号の画質調整を行うように、前記有効画像の非表示期間に前記画質調整部に指示を出力してもよい。
【００１１】
また、前記画像生成部は、前記有効画像の画像領域の上端部又は下端部にＯＳＤ（オンスクリーンディスプレイ）映像を重畳表示された画像を前記表示用画像信号として生成し、前記判定部は、前記ＯＳＤ映像が表示される期間を前記有効画像の非表示期間としてもよい。
また、前記画像取得部は、前記垂直同期を示す信号として垂直同期信号を取得し、前記映像有効期間を示す信号としてＤＶＡＬＩＤ信号を取得してもよい。
【００１２】
また、前記画像取得部は、前記垂直同期を示す信号及び前記映像有効期間を示す信号として、ＳＡＶ及び（Ｓｔａｒｔ  ｏｆ  Ａｃｔｉｖｅ  Ｖｉｄｅｏ）ＥＡＶ（Ｅｎｄ  ｏｆ  Ａｃｔｉｖｅ  Ｖｉｄｅｏ）を取得し、前記判定部は、前記取得したＳＡＶ及びＥＡＶに基づいて前記垂直同期を示す信号の始点及び前記映像有効期間を示す信号の始点を求めてもよい。
【００１３】
また、本発明に係る車載用表示制御装置は、例えば、車両内部に設けられた表示部と、前記車両のライトの点灯と消灯とを切り替えるスイッチと、垂直同期を示す信号と、映像有効期間を示す信号とを含む映像信号を取得する画像取得部と、前記ライトが点灯に切り替えられた場合には、前記取得された映像信号の輝度を落とし、前記ライトが消灯に切り替えられた場合には、前記取得された映像信号の輝度を上げるように、前記映像信号の画質を調整する画質調整部と、前記垂直同期を示す信号の始点と、前記映像有効期間を示す信号の始点との間を有効画像の非表示期間とする判定部と、前記有効画像の非表示期間に前記映像信号の画質調整を行うように、前記画質調整部に指示を出力する制御部と、前記取得された映像信号又は前記画質が調整された映像信号に基づいて表示用画像信号を生成する画像生成部と、前記表示用画像信号を前記表示部に出力する出力部と、を備えたことを特徴とする。
【発明の効果】
【００１４】
本発明は、画質調整等の割り込み処理が可能な期間をより長くすることができる。
【図面の簡単な説明】
【００１５】
【図１】本発明の第１の実施形態に係るナビゲーション装置１００の概略構成図である。
【図２】ナビゲーション装置１００の要部の概略構成図である。
【図３】フラグを付与する処理の流れを示すフローチャートである。
【図４】映像信号とフラグとの関係を示す図である。
【図５】従来の技術と本実施の形態との差を説明する図である。
【図６】画質調整等の割り込み処理を行う処理の流れを示すフローチャートである。
【図７】表示装置の表示例であり、（Ａ）が輝度が高い場合、（Ｂ）が輝度が低い場合を示す図である。
【図８】本発明の第２の実施形態に係るナビゲーション装置１００Ａの要部の概略構成図である。
【図９】ＩＴＵ−Ｒ  ＢＴ．６５６規格の映像信号を示す図である。
【図１０】フラグを付与する処理の流れを示すフローチャートである。
【図１１】従来の技術の表示例を示す図である。
【図１２】従来の技術における映像信号とフラグとの関係を示す図である。
【発明を実施するための形態】
【００１６】
以下、本発明の一実施形態について図面を参照しながら説明する。
【００１７】
＜第１の実施形態＞
図１、２は、ナビゲーション装置１００の構成を説明するための概略構成図であり、図１は全体構成を示し、図２は表示に関する構成を抽出して示す。ナビゲーション装置１００は、地図情報を表示して、ナビゲーション装置１００の現在地を示す地点と、設定された目的地までの経路を誘導する情報とを示すことが可能な、いわゆるナビゲーション装置である。
【００１８】
ナビゲーション装置１００は、演算処理部１と、表示装置２と、記憶装置３と、音声入出力装置４と、入力装置５と、ＲＯＭ装置６と、車速センサ７と、ジャイロセンサ８と、ＧＰＳ(Global Positioning System)受信装置９と、ＦＭ多重放送受信装置１０と、ビーコン受信装置１１と、インターネットあるいは携帯電話網に接続する他の装置と通信を行う通信装置１２と、着脱可能な外部記憶装置１３と、を備えている。
【００１９】
演算処理部１は、様々な処理を行う中心的ユニットである。例えば各種センサ７、８やＧＰＳ受信装置９、ＦＭ多重放送受信装置１０等から出力される情報に基づいて現在地を算出する。また、得られた現在地情報に基づいて、表示に必要な地図データを記憶装置３あるいはＲＯＭ装置６から読み出す。
【００２０】
また、演算処理部１は、読み出した地図データをグラフィックス展開し、そこに現在地を示すマークを重ねて表示装置２へ表示する。また、記憶装置３あるいはＲＯＭ装置６に記憶されている地図データ等を用いて、ユーザから指示された出発地又は現在地と、目的地（または、経由地や立ち寄り地）とを結ぶ最適な経路である推奨経路を探索する。また、スピーカ４２や表示装置２を用いてユーザを誘導する。
【００２１】
ナビゲーション装置１００の演算処理部１は、各デバイス間をバス２８で接続した構成である。演算処理部１は、ＣＰＵ２１と、ビデオデコーダ２２と、描画ＩＣ２３と、マイコン２４と、ＲＡＭ２５と、プログラムやデータを格納するＲＯＭ２６と、各種ハードウェアを演算処理部１と接続するためのＩ／Ｆ（インターフェイス）２７と、を有する。
【００２２】
ＣＰＵ２１は、数値演算及び各デバイスを制御するといった様々な処理を実行する。ＲＡＭ２５には、記憶装置３から読み出した地図データ、演算データ等が格納される。ＲＯＭ２６には、プログラムやデータが格納される。Ｉ／Ｆ２４は、各種ハードウェアを演算処理部１と接続する。なお、ビデオデコーダ２２と、描画ＩＣ２３と、マイコン２４については、後に詳述する。
【００２３】
演算処理部１の各部は、ＣＰＵ２１が所定のプログラムを読み込み実行することにより構築される。そのため、ＲＡＭ２２には、各部の処理を実現するためのプログラムが記憶されている。また、各部は、ハードウェア（ＡＳＩＣ、ＧＰＵなど）により構築されてもよい。また、各部の処理が一つのハードウェアで実行されてもよいし、複数のハードウェアで実行されてもよい。
【００２４】
表示装置２は、演算処理部１等で生成されたグラフィックス情報や、カメラ１４で撮影された画像等を表示するユニットである。表示装置２は、液晶ディスプレイ、有機ＥＬディスプレイ等で構成される。
【００２５】
記憶装置３は、ＨＤＤや不揮発性メモリカードといった、少なくとも読み書きが可能な記憶媒体で構成される。この記憶媒体には、通常の経路探索装置に必要な地図データ（地図上の道路を構成するリンクのリンクデータを含む）であるリンクテーブル等が記憶されている。
【００２６】
音声入出力装置４は、音声入力装置としてマイクロフォン４１と、音声出力装置としてスピーカ４２と、を備える。マイクロフォン４１は、ユーザやその他の搭乗者が発した声等のナビゲーション装置１００の外部の音声を取得する。
【００２７】
スピーカ４２は、演算処理部１で生成されたユーザへのメッセージを音声として出力する。マイクロフォン４１及びスピーカ４２は、車両の所定の部位に、別個に配されている。ただし、一体の筐体に収納されていても良い。ナビゲーション装置１００は、マイクロフォン４１及びスピーカ４２を、それぞれ複数備えることができる。
【００２８】
入力装置５は、ユーザからの指示をユーザによる操作を介して受け付ける装置である。入力装置５は、タッチパネル５１と、ダイヤルスイッチ５２と、その他のハードスイッチ（図示しない）であるスクロールキー、縮尺変更キー、ライト点灯／消灯切替スイッチ等で構成される。また、入力装置５には、ナビゲーション装置１００に対して遠隔で操作指示を行うことができるリモートコントローラが含まれる。リモートコントローラは、ダイヤルスイッチやスクロールキー、縮尺変更キー等を備え、各キーやスイッチが操作された情報をナビゲーション装置１００に送出することができる。
【００２９】
タッチパネル５１は、表示装置２の表示面側に搭載され、表示画面を透視可能である。タッチパネル５１は、表示装置２に表示された画像のＸＹ座標と対応したタッチ位置を特定し、タッチ位置を座標に変換して出力する。タッチパネル５１は、感圧式または静電式の入力検出素子等により構成される。なお、タッチパネル５１は、同時に複数のタッチ位置を検出することのできるマルチタッチを実現できるものであってもよいが、本願発明に係るコスト効果がより高いと考えられるのは、同時に一か所のタッチ位置を検出できるシングルタッチ対応の安価なタッチパネルであるといえる。
【００３０】
ダイヤルスイッチ５２は、時計回り及び反時計回りに回転可能に構成され、所定の角度の回転ごとにパルス信号を発生し、演算処理部１に出力する。演算処理部１では、パルス信号の数から、回転角度を求める。
【００３１】
ＲＯＭ装置６は、ＣＤ-ＲＯＭやＤＶＤ-ＲＯＭ等のＲＯＭや、ＩＣ（Ｉｎｔｅｇｒａｔｅｄ  Ｃｉｒｃｕｉｔ）カードといった、少なくとも読み取りが可能な記憶媒体で構成されている。この記憶媒体には、例えば、動画データや、音声データ等が記憶されている。
【００３２】
車速センサ７、ジャイロセンサ８及びＧＰＳ受信装置９は、ナビゲーション装置１００で現在地（例えば、自車位置）を検出するために使用されるものである。車速センサ７は、車速を算出するのに用いる値を出力するセンサである。ジャイロセンサ８は、光ファイバジャイロや振動ジャイロ等で構成され、移動体の回転による角速度を検出するものである。ＧＰＳ受信装置９は、ＧＰＳ衛星からの信号を受信し移動体とＧＰＳ衛星間の距離と距離の変化率とを３個以上の衛星に対して測定することで移動体の現在地、進行速度及び進行方位を測定するものである。
【００３３】
ＦＭ多重放送受信装置１０は、ＦＭ放送局から送られてくるＦＭ多重放送信号を受信する。ＦＭ多重放送には、ＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ：登録商標）情報の概略現況交通情報、規制情報、ＳＡ／ＰＡ（サービスエリア／パーキングエリア）情報、駐車場情報、天気情報等やＦＭ多重一般情報としてラジオ局が提供する文字情報等がある。
【００３４】
ビーコン受信装置１１は、ＶＩＣＳ情報等の概略現況交通情報、規制情報、ＳＡ／ＰＡ（サービスエリア／パーキングエリア）情報、駐車場情報、天気情報や緊急警報等を受信する。例えば、光により通信する光ビーコン、電波により通信する電波ビーコン等の受信装置である。
【００３５】
通信装置１２は、ネットワークに接続された装置と通信可能な無線通信網に接続する。このような通信装置１２は、例えば携帯電話網に接続してサーバーとデータ通信を行う装置であり、例えばユーザの携帯電話機を取り付けられて通信が可能となるものを含む。
【００３６】
外部記憶装置１３は、ナビゲーション装置１００に着脱可能な記憶装置であって、例えば不揮発性メモリカード等の電子記憶媒体への入出力制御を実施する装置である。
カメラ１４は、車両の後部（例えば、ナンバープレート上部、リヤウイング部）に取り付けられたリヤビューカメラである。なお、リアビューカメラは例示であり、車両前方に取り付けられたフロントビューカメラでもよいし、複数のカメラ及び車両周辺映像を合成する機能を有するカメラモジュールでもよい。
【００３７】
次に、図２を用いて、カメラ１４で撮影された画像の表示について説明する。カメラ１４で撮影された画像は、ＮＴＳＣ（National Television Standards Committee）方式のコンポジット映像信号としてビデオデコーダ２２に取り込まれる。
【００３８】
ビデオデコーダ２２は、Ａ／Ｄ変換器及び画質調整部を有する。Ａ／Ｄ変換器は、アナログ映像信号を８ビットのデジタル映像信号に変換する。画質調整部は、デジタル映像信号のホワイトバランス調整、ガンマ補正、補間処理、色変換処理等の画質調整処理を行う。
【００３９】
また、ビデオデコーダ２２は、入力されたアナログ映像信号の水平又は垂直同期信号を基準にクロックを生成する。また、ビデオデコーダ２２は、入力されたアナログ映像信号同期分離して水平同期信号（Ｈ同期信号）、垂直同期信号（Ｖ同期信号）、１Ｈ（水平ライン）毎の映像有効期間を示すＤＶＡＬＩＤ信号を得る。インターレース走査の場合には、ビデオデコーダ２２は、奇数フィールドか偶数フィールドかを示す信号であるフィールド指示信号をさらに生成する。
【００４０】
生成されたデジタル映像信号、Ｖ同期信号、Ｈ同期信号、ＤＶＡＬＩＤ信号、クロックは、ビデオデコーダ２２に設けられた各出力端子から描画ＩＣ２３に出力される。デジタル映像信号、Ｈ同期信号、クロックはＭＵＸ２３１へ出力される。Ｖ同期信号、ＤＶＡＬＩＤ信号は、ＭＵＸ２３１及び制御部２３３へ出力される。
描画ＩＣ２３は、ＭＵＸ（マルチプレクサ）２３１と、ＯＳＤ（オンスクリーンディスプレイ）２３２と、制御部２３３とを有する。
【００４１】
ＯＳＤ２３２は、合成するＯＳＤ映像をＲＡＭ２５よりリードし、ＭＵＸ２３１に出力する。ＯＳＤ映像とは、ボリューム操作によりスーパーインポーズされるボリューム映像、チャンネル選択によりスーパーインポーズされる選択チャンネル映像、キー操作、リモコン操作に応じた映像等で、カメラ１４で撮影された画像に重ねて表示される映像である。
【００４２】
ＭＵＸ２３１は、ビデオデコーダ２２から出力された映像信号にＯＳＤ２３２から出力されたＯＳＤ映像を重畳して出力映像を生成する。出力映像は、ＲＧＢ信号からなるデータである。このデータは、ＲＡＭ２５に一時的に記憶されてもよい。
【００４３】
ＭＵＸ２３１が生成した出力映像信号と、Ｈ同期信号と、Ｖ同期信号と、有効画素領域の映像信号の伝送タイミングに同期したＤＥ（Ｄａｔａ Ｅｎａｂｌｅ）信号とは、描画ＩＣ２３から表示装置２に出力される。
制御部２３３は、マイコン２４から入力されたコマンド信号を受信する。また、制御部２３３は、ビデオデコーダ２２との間で双方向のコマンド通信を行う。
【００４４】
例えば、入力装置５を構成するライト点灯／消灯切替スイッチの操作がされると、マイコン２４は、Ｉ／Ｆ２７を介してこれを受信する。マイコン２４は、例えばライト点灯／消灯切替スイッチの操作による電圧変化、すなわちライトが消灯から点灯へ切り替えられたか、点灯から消灯へ切り替えられたかを検出し、これを制御部２３３へ出力する。
【００４５】
また、入力装置５を構成するシフトレバーがリアに入れられると、マイコン２４は、Ｉ／Ｆ２７を介してシフトレバーがリアに切り替えられたことを受信し、制御部２３３へ出力する。制御部２３３は、これをビデオデコーダ２２に出力し、ビデオデコーダ２２はカメラ１４から取り込まれたコンポジット映像信号に対して各種処理を実行する。
なお、カメラ１４から取り込まれたコンポジット映像信号に対して各種処理を実行するための指示をマイコン２４がビデオデコーダ２２に出力するきっかけとなる処理は、シフトレバーがリアに入れられる場合に限られない。例えば、入力装置５を構成するボタンがユーザによって操作されたことをトリガにしてもよいし、車両から出力される車両信号（位置、車速、走行方位及びウインカー信号）をトリガにしてもよいし、その他制御信号（例えば、画像解析モジュール）をトリガにしてもよい。
【００４６】
制御部２３３は、ビデオデコーダ２２から入力されたＶ同期信号及びＤＶＡＬＩＤ信号に基づいて、割り込み処理の可否を示すフラグを変更する。フラグはＲＡＭ２５に記憶されている。割り込み処理が可のフラグが立っている場合には、制御部２３３は、ビデオデコーダ２２に画質調整等の割り込み処理の指示を出力する。また、制御部２３３は、カウンターを有し、ＤＶＡＬＩＤ信号等の立ち下がりの回数をカウントする。制御部２３３の機能については、後に詳述する。
【００４７】
次に、ナビゲーション装置１００の動作について説明する。図３は、カメラ１４で撮影された画像が表示装置２に表示されている場合に、演算処理部１がフラグを付与する処理の流れを示すフローチャートである。この処理は、ナビゲーション装置１００の動作の開始（例えば、ナビゲーション装置１００が搭載された車両のエンジンの起動）と同時に開始される。
【００４８】
制御部２３３は、カメラ１４で撮影された画像が表示装置２に表示されているか否かを判定する（ステップＳ１０）。ビデオデコーダ２２から映像信号等がＭＵＸ２３１に入力されている場合には、制御部２３３は、カメラ１４で撮影された画像が表示装置２に表示されていると判定する。
カメラ１４で撮影された画像が表示装置２に表示されていない場合（ステップＳ１０でＮＯ）には、制御部２３３は、処理を終了する。
【００４９】
カメラ１４で撮影された画像が表示装置２に表示されている場合（ステップＳ１０でＹＥＳ）には、制御部２３３は、ビデオデコーダ２２から入力されているＶ同期信号が立ち下がったか否か、すなわち垂直同期期間が開始されたか否かを判定する（ステップＳ１２）。
【００５０】
図４は、ビデオデコーダ２２から取得されるデジタル映像信号と、Ｖ同期信号と、ＤＶＡＬＩＤ信号と、フラグとの関係を示す図である。図４におけるタイミングｔ１が、Ｖ同期信号が立ち下がったタイミングである。制御部２３３は、ステップＳ１２の処理を行う時点がタイミングｔ１以降か否かを判定する。
Ｖ同期信号が立ち下がっていないと判定した場合（ステップＳ１２でＮＯ）は、制御部２３３は、再度ステップＳ１２を行う。
【００５１】
Ｖ同期信号が立ち下がったと判定した場合（ステップＳ１２でＹＥＳ）は、制御部２３３は、ビデオデコーダ２２から入力されているＤＶＡＬＩＤ信号が立ち下がったか否か、すなわち映像有効期間が開始されたか否かを判定する（ステップＳ１４）。図４におけるタイミングｔ３が、ＤＶＡＬＩＤ信号が立ち下がったタイミングである。制御部２３３は、ステップＳ１４の処理を行う時点がタイミングｔ３以降か否かを判定する。
【００５２】
ＤＶＡＬＩＤ信号が立ち下がっていないと判定した場合（ステップＳ１２でＮＯ）は、図４においてタイミングｔ１とｔ３との間である場合である。この場合には、制御部２３３は、フラグ１を付与する（ステップＳ１８）。フラグ１は、割り込み処理が可能であることを示すフラグである。
【００５３】
ＤＶＡＬＩＤ信号が立ち下がったと判定した場合（ステップＳ１２でＹＥＳ）には、図４においてタイミングｔ３以降となった場合であり、制御部２３３は、フラグ０を付与する（ステップＳ１６）。フラグ０は、割り込み処理が不可であることを示すフラグである。
【００５４】
フラグ０を付与した場合には、制御部２３３は、ＤＶＡＬＩＤ信号の立ち下がりの回数をカウントし（ステップＳ２０）、ステップＳ２０でカウントされたＤＶＡＬＩＤ信号の立ち下がりの回数が所定の回数となったか否かを判定する（ステップＳ２２）。すなわち、制御部２３３は、ステップＳ２０、Ｓ２２が行われたタイミングが、図４におけるタイミングｔ４となったか否かを判定する。
【００５５】
ＤＶＡＬＩＤ信号の立ち下がりの回数が所定の数となっていない場合（ステップＳ２２でＮＯ）は、図４においてタイミングｔ３とｔ４との間である場合であり、この場合には、制御部２３３は再度ステップＳ２２を行う。
【００５６】
ＤＶＡＬＩＤ信号の立ち下がりの回数が所定の数となった場合（ステップＳ２２でＹＥＳ）は、図４においてタイミングｔ４となった場合である。この場合には、制御部２３３は、フラグを０から１に変更し（ステップＳ２４）、再度ステップＳ１２を行う。これにより、フラグ付与の処理が終了される。
【００５７】
図５は、図４のフローに従って付与されたフラグ１の期間、すなわち割り込み処理が可能であるとされた期間と、従来の技術における割り込み処理が可能であるとされた期間とを比較した図である。従来は、タイミングｔ１とｔ２の間だけ割り込み処理が認められたのに対し、本実施の形態では、タイミングｔ１とｔ３の間及びタイミングｔ４とｔ１との間で割り込み処理が許可される。その結果、本実施の形態では、従来割り込み処理が可能であった期間に加え、図５におけるハッチング部分の期間でも割り込み処理が可能となる。
【００５８】
また、図５に示すように、Ｈ同期信号は、ＤＶＡＬＩＤ信号より少し早いタイミングで出力される。したがって、フラグを１から０に切り替えるタイミングを決定するのに、ＤＶＡＬＩＤ信号を用いることで、割り込み処理が可能な期間を最大限長くすることができる。
【００５９】
図６は、画質調整等の割り込み処理を行う処理の流れを示すフローチャートである。この処理は、ナビゲーション装置１００の動作の開始（例えば、ナビゲーション装置１００が搭載された車両のエンジンの起動）と同時に開始される。
【００６０】
制御部２３３は、カメラ１４で撮影された画像を表示装置２に表示する指示が入力されているか否かを判定する（ステップＳ３０）。例えば、マイコン２４を介してシフトレバーがリアに切り替えられたことが入力された場合には、制御部２３３は、カメラ１４で撮影された画像を表示装置２に表示する指示が入力されていると判定する。制御部２３３が、カメラ１４で撮影された画像を表示装置２に表示する指示が入力されていると判定する場合は、これに限られない。
【００６１】
カメラ１４で撮影された画像を表示装置２に表示する指示が入力されていると判定しなかった場合（ステップＳ３０でＮＯ）には、制御部２３３は、処理を終了する。この場合は、ＯＳＤ映像のみが表示装置２に表示されている場合であり、表示装置２のバックライト（図示せず）を変更することで明るさ等が調整可能である。
【００６２】
カメラ１４で撮影された画像を表示装置２に表示する指示が入力されていると判定した場合（ステップＳ３０でＹＥＳ）には、制御部２３３は、マイコン２４から画質調整を行うことを示す指示が入力されたか否かを判定する（ステップＳ３２）。画質調整を行うことを示す指示は、例えば、ユーザが入力装置５を操作することにより行われる。具体的には、ライト点灯／消灯切替スイッチを用いてライトの点灯／消灯が切り替えられる場合や、タッチパネル５１等を用いて画面の明るさ、コントラスト、色合いの調整が行われる場合が考えられる。
【００６３】
なお、ステップＳ３０でＹＥＳの場合には、描画ＩＣ２３は、ビデオデコーダ２２からデジタル映像信号、Ｖ同期信号、Ｈ同期信号、ＤＶＡＬＩＤ信号、Ｃｌｏｃｋを取得し、映像信号と、Ｖ同期信号と、Ｈ同期信号と、ＤＥ信号とを表示装置２に出力している。また、制御部２３３は、ビデオデコーダ２２からＶ同期信号と、ＤＶＡＬＩＤ信号とを受信し、図６に示すフラグ付与の処理を行っている。
画質調整を行うことを示す指示が入力されていない場合（ステップＳ３２でＮＯ）には、ステップＳ３０に戻り、ステップＳ３０、Ｓ３２が繰り返し行われる。
【００６４】
画質調整を行うことを示す指示が入力された場合（ステップＳ３２でＹＥＳ）には、制御部２３３は、付与されたフラグが１であるか否かを判定する（ステップＳ３４）。
付与されたフラグが１でない場合（ステップＳ３４でＮＯ）には、割り込み処理は不可であるため、再度ステップＳ３４を行う。
【００６５】
付与されたフラグが１である場合（ステップＳ３４でＹＥＳ）には、割り込み処理が可能であるため、制御部２３３は、ビデオデコーダ２２に割り込み処理（ここでは画質調整）の指示を出力する。ビデオデコーダ２２の画質調整部は、制御部２３３からの指示に従って画質調整を行う（ステップＳ３６）。すなわち、割り込み処理が指示された時のフラグが０である場合には、フラグが１になるのを待って割り込み処理が行われる。
【００６６】
ステップＳ３６の具体例について説明する。図７は、割り込み処理として輝度を変更する処理が行われた場合の表示装置２の表示例であり、（Ａ）は輝度が高い場合、（Ｂ）は輝度が低い場合を示す。ライト点灯／消灯切替スイッチによりライトが点灯に切り替えられた場合には、画質調整部は、映像を暗く（輝度を落とす）、すなわち図７（Ａ）に示す状態から（Ｂ）に示す状態へ変更する処理を行う。ライト点灯／消灯切替スイッチを用いてライトが消灯に切り替えられた場合には、画質調整部は、映像を明るく（輝度を上げる）する、すなわち図７（Ｂ）に示す状態から（Ａ）に示す状態へ変更する処理を行う。本実施の形態では、フラグが０のとき、すなわち表示装置２に映像が出力される期間には輝度調整が行われないため、図７に示すように、表示装置２の画面全体の輝度が変更される。なお、輝度調整方法としては、映像信号の輝度レベルを変えるブライトネス調整と、明暗の差を変えるコントラスト調整といった輝度調整方法がある。
【００６７】
また、タッチパネル５１等を用いて画面の輝度、コントラスト、色合いの設定が変更することが入力された場合には、画質調整部は、変更された設定の輝度、コントラスト、色合いとなるように画質調整を行う。画質調整部が行う画質調整処理については、すでに公知であるため、説明を省略する。
【００６８】
画質調整部が行う画質調整は、カメラ１４で撮影された画像に対してであるため、図７に示すように、カメラ１４で撮影された画像と、ＯＳＤ映像とが重ねて表示されている場合には、カメラ１４で撮影された画像のみ画質調整が行われ、ＯＳＤ映像に対しては画質調整が行われない。
【００６９】
このような画質調整は、メニュー表示等のＯＳＤ映像の画質を無調整とし、カメラ映像等の外部映像のみの画質を変える場合に使われる。ライトが点灯された場合に、表示装置２のバックライトの輝度を落とすことで表示装置２に表示された画像全体の輝度を落としてしまうと、ＯＳＤ映像の輝度も落ちてしまう。例えば図７に示すようにＯＳＤ映像として目安線が表示されているとすると、目安線が視認しにくくなってしまう。それに対し、本実施の形態のようにカメラ１４で撮影された画像に対してのみ輝度を落とすようにすれば、目安線の輝度は変更されないため、視認性を向上させることができる。
【００７０】
なお、図６に示す処理において、フラグが１から０に切り替わるとほぼ同時に、割り込み処理の指示が入力される場合（ステップＳ３２でＹＥＳの場合）も考えられる。一般的な画面表示では、上下のライン（例えば、映像開始のラインから３ライン目及び下から３番目のラインから一番下のライン）をカットして表示する。したがって、仮に割り込み処理を受け付けたタイミングとＤＶＡＬＩＤ信号の立ち下がりのタイミングとが同時であったとしても、表示装置２への映像表示に支障はない。
【００７１】
本実施の形態によれば、垂直同期信号とＤＶＡＬＩＤ信号を組み合わせることで、より正確に映像の非表示期間を特定することができる。また、垂直同期信号が入力された時から映像表示開始までの時間をすべて割り込み処理が可能な期間とすることで、割り込み処理が可能な期間をより長くすることができる。
【００７２】
その結果、従来なら次のフレームの開始まで待ってから画質調整等の割り込み処理を行っていた場合においても、次のフレームまで待つことなく、レスポンスよく画質調整等の割り込み処理を行うことができる。
【００７３】
なお、本実施の形態では、割り込み処理として画質調整を行ったが、割り込み処理は画質調整に限られない。映像信号に対する処理であれば、どのような処理でもよい。
【００７４】
また、本実施の形態では、マイコン２４から画質調整を行うことを示す指示が入力されたか否かを判定する処理（ステップＳ３２）において、画質調整を行うことを示す指示がユーザが入力装置５を操作することにより行われることを例示したが、マイコン２４から画質調整を行うことを示す指示が入力される場合は、ユーザが入力装置５を操作した場合に限られない。例えば、カメラ１４近傍等に明るさセンサ等を設け、検出された明るさが閾値を超えて明るくなったこと又は暗くなったことをマイコン２４が検出した場合に、マイコン２４から画質調整を行うことを示す指示が制御部２３３に入力されるようにしてもよい。
【００７５】
また、本実施の形態では、フラグ付与処理（図３）において、制御部２３３は、ステップＳ１６でフラグ０を付与した場合には、制御部２３３は、ＤＶＡＬＩＤ信号の立ち下がりの回数をカウントし（ステップＳ２０）、ＤＶＡＬＩＤ信号の立ち下がりの回数が所定の回数となった場合（ステップＳ２２でＹＥＳ）には、フラグを０から１に変更した（ステップＳ２４）が、ステップＳ２０〜Ｓ２４の処理は必須ではない。フラグ付与処理として、ステップＳ１０〜Ｓ２０までを行うようにしてもよい。この場合には、図４、５におけるタイミングｔ４とｔ１との間はフラグが０となり、フラグが１の期間はタイミングｔ１とｔ３の間となるが、タイミングｔ１とｔ２の間だけ割り込み処理が認められた従来の割り込み処理可能期間よりは長い期間で割り込み処理が可能となる。
【００７６】
また、本実施の形態では、Ｈ同期信号、Ｖ同期信号、ＤＶＡＬＩＤ信号のいずれも、入力が無い（ＯＦＦ状態）場合にＨｉレベルの電圧であり、ＨｉからＬｏｗへ信号が立ち下がった時を信号が入力された（ＯＮ状態）時点として検出したが、ＯＦＦ状態はＬｏｗレベル、ＯＮ状態がＨｉレベルとなる信号を用いてもよい。
【００７７】
また、本実施の形態では、Ｖ同期信号の立ち下がりからＤＶＡＬＩＤ信号の立ち下がりまでの期間を割り込み処理可能としたが、映像の上端、下端にＯＳＤ映像が重畳表示される場合には、ＤＶＡＬＩＤ信号の立ち下がりの後であっても、ＯＳＤ映像が重畳表示される期間については割り込み処理を可能としてもよい。例えば、図７に示すように、上端のＯＳＤ映像が表示される場合には、上端のＯＳＤ映像の表示期間についても割り込み処理を可能としてもよい。具体的には、ＭＵＸ２３１は、ＯＳＤ映像が表示されるライン数を制御部２３３へ出力し、制御部２３３は、Ｖ同期信号の立ち下がりから、ＯＳＤ映像が表示されるライン数だけＤＶＡＬＩＤ信号が出力されるまでを割り込み処理可能とすればよい。
【００７８】
＜第２の実施形態＞
本発明の第１の実施の形態は、ビデオデコーダに設けられた各出力端子からデジタル映像信号、Ｖ同期信号、Ｈ同期信号、ＤＶＡＬＩＤ信号、クロックが描画ＩＣへ出力されたが、ビデオデコーダから出力される信号の形態はこれに限られない。
【００７９】
本発明の第２の実施の形態は、デジタル映像信号に同期信号等が埋め込まれた信号をビデオデコーダから出力する形態である。第２の実施の形態と第１の実施の形態と同一の部分については、同一の符号を付し、詳細な説明を省略する。
【００８０】
図８は、ナビゲーション装置１００Ａ（図示せず）の映像表示に関する構成を抽出した概略構成図である。ビデオデコーダ２２Ａは、Ａ／Ｄ変換器及び画質調整部を有する。Ａ／Ｄ変換器は、アナログ映像信号をＩＴＵ−Ｒ（Ｉｎｔｅｒｎａｔｉｏｎａｌ Ｔｅｌｅｃｏｍｍｕｎｉｃａｔｉｏｎ Ｕｎｉｏｎ Ｒａｄｉｏｃｏｍｍｕｎｉｃａｔｉｏｎｓ Ｓｅｃｔｏｒ）にて勧告されているＢＴ．６５６等の伝送規格に基づいて多重化し、同期信号が埋め込まれたデジタル映像信号に変換する。画質調整部は、デジタル映像信号のホワイトバランス調整、ガンマ補正、補間処理、色変換処理等の画質調整を行う。
【００８１】
ＩＴＵ−Ｒ  ＢＴ．６５６規格は、同期信号をビデオ信号データの中に埋め込む規格であり、ＳＡＶ（Ｓｔａｒｔ  ｏｆ  Ａｃｔｉｖｅ  Ｖｉｄｅｏ）及びＥＡＶ（Ｅｎｄ  ｏｆ  Ａｃｔｉｖｅ  Ｖｉｄｅｏ）という４バイトのコードが含まれる。
【００８２】
図９は、ＩＴＵ−Ｒ  ＢＴ．６５６規格の映像信号を示す図である。ＳＡＶ、ＥＡＶには、フィールド示すＦ、非ブランキング期間か垂直ブランキング期間かを示すＶ、及び映像有効期間か否かを示すＨの３種類の情報が含まれる。Ｆが０の場合はフィールド１であることを示し、１の場合はフィールド２であることを示す。Ｖが０の場合は非ブランキング期間であることを示し、１の場合は垂直ブランキング期間であることを示す。Ｈが０の場合をＳＡＶであることを示し、１の場合はＥＡＶであることを示す。Ｆ、Ｖ及びＨが０であるか１であるかに基づいて、水平同期期間、垂直同期期間、映像有効期間を判定することができる。
同期信号が埋め込まれたデジタル映像信号は、ビデオデコーダ２２から描画ＩＣ２３に出力される。
【００８３】
描画ＩＣ２３Ａは、ＭＵＸ（マルチプレクサ）２３１Ａと、ＯＳＤ（オンスクリーンディスプレイ）２３２と、制御部２３３とを有する。
ＭＵＸ２３１Ａは、ビデオデコーダ２２Ａから出力された映像信号にＯＳＤ２３２から出力されたＯＳＤ映像を重畳して出力映像を生成する。出力映像は、ＲＧＢ信号からなるデータである。このデータは、ＲＡＭ２５に一時的に記憶されてもよい。
ＭＵＸ２３１Ａは、同期信号が埋め込まれたデジタル映像信号から、Ｈ同期信号、Ｖ同期信号、ＤＥ信号を生成し、表示装置２に出力する。
【００８４】
次に、ナビゲーション装置１００Ａの動作について説明する。図１０は、カメラ１４で撮影された画像が表示装置２に表示されている場合に、演算処理部１Ａがフラグを付与する処理の流れを示すフローチャートである。
【００８５】
制御部２３３は、カメラ１４で撮影された画像が表示装置２に表示されているか否かを判定する（ステップＳ１０）。カメラ１４で撮影された画像が表示装置２に表示されていない場合（ステップＳ１０でＮＯ）には、制御部２３３は、処理を終了する。
【００８６】
カメラ１４で撮影された画像が表示装置２に表示されている場合（ステップＳ１０でＹＥＳ）には、制御部２３３は、取得されたデジタル映像信号のＳＡＶ、ＥＡＶに基づいて、垂直同期期間か否かを判定する（ステップＳ１１）。垂直同期期間は、図９におけるタイミングｔ１とｔ２の間、及びタイミングｔ３とｔ４の間である。
【００８７】
垂直同期期間であると判定した場合（ステップＳ１１でＮＯ）は、制御部２３３は、フラグ１を付与する（ステップＳ１８）。垂直同期期間でないと判定した場合（ステップＳ１１でＮＯ）は、制御部２３３は、フラグ０を付与する（ステップＳ１６）。フラグの付与（ステップＳ１６、Ｓ１８）が終了したら、再びステップＳ１１を行う。
【００８８】
本実施の形態によれば、デジタル映像信号の中の同期信号を用いる場合においても、より正確に映像の非表示期間を特定し、この期間をすべて割り込み処理が可能な期間とすることで、割り込み処理が可能な期間をより長くすることができる。その結果、次のフレームまで待つことなく、レスポンスよく画質調整等の割り込み処理を行うことができる。
【００８９】
以上、この発明の実施形態の例を、図面を参照して詳述してきたが、具体的な構成はこの実施形態に限られるものではなく、この発明の要旨を逸脱しない範囲の設計変更等も含まれる。また、本実施の形態では、カーナビゲーション装置に内蔵された表示制御装置を例に説明したが、本発明の表示制御装置が適用されるのはカーナビゲーション装置に限らない。本発明は、車両以外の装置に内蔵される表示制御装置として提供しても良いし、車両等の装置に適用する表示制御プログラムとして提供することもできる。
【符号の説明】
【００９０】
１、１Ａ：演算処理部、２：表示装置、３：記憶装置、４：音声入出力装置、５：入力装置、６：ＲＯＭ装置、７：車速センサ、８：ジャイロセンサ、９：ＧＰＳ受信装置、１０：ＦＭ多重放送受信装置、１１：ビーコン受信装置、１２：通信装置、１３：外部記憶装置、１４：カメラ、２１：ＣＰＵ、２２、２２Ａ：ビデオデコーダ、２３：描画ＩＣ、２４：マイコン、２５：ＲＡＭ、２６：ＲＯＭ、２７：Ｉ／Ｆ、２８：バス、４１：マイクロフォン、４２：スピーカ、５１：タッチパネル、５２：ダイヤルスイッチ、１００、１００Ａ：ナビゲーション装置、１０１：基本制御部、１０２：入力受付部、１０３：画像生成部、１０４：フラグ付与部、１０５：出力処理部、２３１：ＭＵＸ、２３２：ＯＳＤ、２３３：制御部
【図１】
2013257434.tif 000003
【図２】
2013257434.tif 000004
【図３】
2013257434.tif 000005
【図４】
2013257434.tif 000006
【図５】
2013257434.tif 000007
【図６】
2013257434.tif 000008
【図７】
2013257434.tif 000009
【図８】
2013257434.tif 000010
【図９】
2013257434.tif 000011
【図１０】
2013257434.tif 000012
【図１１】
2013257434.tif 000013
【図１２】
2013257434.tif 000014